(57)【要約】      （修正有）【課題】電源にＤＣパワーおよび再生エネルギーを用いる携帯式電子装置において、ＡＣパワーが供給されない場合でも再生エネルギーをスペアエネルギーとして用いることができるようにする。【解決手段】携帯式電子装置３００は、電源としてＤＣパワーを用いる携帯式電子装置において、電源をＡＣ／ＤＣアダプタと、再生エネルギーをＤＣパワーに変換する電気エネルギーコンバータ３０５と、充電可能な電池とから供給する。充電可能な電池は、ＡＣパワーが供給されていないときに、スペアパワーを供給する。電源管理ユニットは、個々の電源供給および個々のロード３０２〜３０４が必要とするパワーの状況に基づいて、並びに設計条件に合せて、ロードと電源供給とをそれぞれ選択的に接続する。【選択図】図６
0003131947.tif 000002
【実用新案登録請求の範囲】
【請求項１】
それぞれパワーを受けるための第１の入力端を有する複数のロードと、
複数の第２の入力端および複数の第１の出力端を有し、複数の電力ソースのうちの一つをその対応する第２の入力端に供給し、第１の出力端毎をその対応するロードの第１の入力端に接続し、電力ソース毎の電力状態およびこれらのロードの負荷度合いに基づいて、これらの第１の出力端のうちの少なくとも一つをこれらの第２の入力端のうちの一つに選択的に接続する電源管理ユニットとを含むことを特徴とする携帯式電子装置。
【請求項２】
これらの電力ソースは、ＡＣパワーを含むことを特徴とする請求項１に記載の携帯式電子装置。
【請求項３】
さらに、前記の電力ソースの一つとその対応する前記電源管理ユニットの第２の入力端との間に接続された電気エネルギーコンバータを含むことを特徴とする請求項１に記載の携帯式電子装置。
【請求項４】
前記電気エネルギーコンバータは、ＡＣパワーをＤＣパワーに変換するためのＡＣ／ＤＣコンバータであることを特徴とする請求項３に記載の携帯式電子装置。
【請求項５】
これらの電力ソースは、ＤＣパワーを含むことを特徴とする請求項１に記載の携帯式電子装置。
【請求項６】
前記電気エネルギーコンバータは、ＤＣパワーを他のＤＣパワーに変換するためのＤＣ／ＤＣコンバータであって、前記の電力ソースの一つの対応する前記電源管理ユニットの第２の入力端に接続されることを特徴とする請求項５に記載の携帯式電子装置。
【請求項７】
これらの電力ソースは、再生エネルギーを電気エネルギーに変化するための手段を含むことを特徴とする請求項１に記載の携帯式電子装置。
【請求項８】
前記手段は、太陽電池パネルであることを特徴とする請求項７に記載の携帯式電子装置。
【請求項９】
さらにケースを含み、前記太陽電池パネルが前記ケースの一表面に個別に固定可能であることを特徴とする請求項８に記載の携帯式電子装置。
【請求項１０】
さらにケースを含み、前記太陽電池パネルが前記ケースの一表面に固定されたことを特徴とする請求項８に記載の携帯式電子装置。
【請求項１１】
前記電力ソースの電力状態が電圧レベルであることを特徴とする請求項１に記載の携帯式電子装置。
【請求項１２】
これらのロードの負荷度合いが、これらのロードの合計であることを特徴とする請求項１に記載の携帯式電子装置。
【請求項１３】
これらのロードの負荷度合いが、これらのロードが消費した電力消費量であることを特徴とする請求項１に記載の携帯式電子装置。
【請求項１４】
さらに、これらの電力ソースの一つとして電池を含むことを特徴とする請求項１に記載の携帯式電子装置。
【請求項１５】
前記電池が充電電池であることを特徴とする請求項１４に記載の携帯式電子装置。
【請求項１６】
前記電源管理ユニットが、前記電池に接続する伝送端をさらに含むことを特徴とする請求項１５に記載の携帯式電子装置。
【請求項１７】
前記電源管理ユニットが、さらに、電力ソース毎の電力状態およびこれらのロードの負荷度合いに基づいて、前記伝送端を前記電源管理ユニットのこれらの第２の入力端のうちの一つに選択的に接続したことを特徴とする請求項１６に記載の携帯式電子装置。
【請求項１８】
前記電源管理ユニットが、電力ソース毎の電力状態およびこれらのロードの負荷度合いに基づいて、前記伝送端をこれらの第１の出力端のうちの少なくとも一つにさらに接続したことを特徴とする請求項１６に記載の携帯式電子装置。
【請求項１９】
前記電源管理ユニットが、使用者の指令を受けるための第３の入力端をさらに含むことを特徴とする請求項１に記載の携帯式電子装置。
【請求項２０】
前記電源管理ユニットが、使用者が下した指令に基づいて、これらの第１の出力端のうち少なくとも一つをさらに選択し、これらの第２の入力端のうち少なくとも一つに接続したことを特徴とする請求項１９に記載の携帯式電子装置。
【請求項２１】
前記携帯式電子装置が、ノートブックパソコンであることを特徴とする請求項１に記載の携帯式電子装置。
【請求項２２】
前記ロードが、キーボードを含むことを特徴とする請求項１に記載の携帯式電子装置。
【請求項２３】
前記ロードが、スクリーンを含むことを特徴とする請求項１に記載の携帯式電子装置。
【請求項２４】
前記ロードが、パソコンシステムを含むことを特徴とする請求項１に記載の携帯式電子装置。
【考案の詳細な説明】
【技術分野】
【０００１】
本考案は、携帯式電子装置に係わり、特に、１以上の電力を選択的に用いて電源として与えることが可能な、再生可能エネルギーを有する携帯式電子装置に関するものである。
【背景技術】
【０００２】
図１は、従来技術の携帯式電子装置を示す。図１に示すように、従来技術の携帯式電子装置１００は、電源管理ユニット１０１、電池１０５、および三つのロード１０２〜１０４を含む。ロード１０２〜１０４は、ともに電源管理ユニット１０１に接続され電源を受ける。電池１０５が電源管理ユニット１０１に接続され電源を受送電している。電源管理ユニット１０１がＡＣ／ＤＣアダプタ１１０に接続され、ＤＣ電源を受ける。
【０００３】
ＡＣ／ＤＣアダプタ１１０が、ＡＣプラグ１１１を介してＡＣコンセント１２０に接続され、電源管理ユニット１０１もＡＣ／ＤＣアダプタ１１０に接続されると、このＡＣ／ＤＣアダプタ１１０がＡＣ電源を受けた後に、ＡＣ電源を第１のＤＣ電源に変換し、さらに、この第１のＤＣ電源が電源管理ユニット１０１に伝送される。続いて、電源管理ユニット１０１がこの第１のＤＣ電源をロード１０２〜１０４および電池１０５にそれぞれ配電するため、ロード１０２〜１０４が第１のＤＣ電源の供給に応じて規則的に働き、第１のＤＣ電源で電池１０５を充電することが出来る。
【０００４】
ＡＣ／ＤＣアダプタ１１０が、ＡＣプラグ１１１を介してＡＣコンセント１２０に接続されず、または電源管理ユニット１０１がＡＣ／ＤＣアダプタ１１０に接続されていない時、電源管理ユニット１０１がＤＣ電源を受けることが出来ない。そのため、電池１０５が放電し始め、第２のＤＣ電源を供給する。その後、電源管理ユニット１０１が、電池１０５における第２のＤＣ電源を消費し尽くすまでロード１０２〜１０４が正常に稼動できるように、ロード１０２〜１０４にこの第２のＤＣ電源をさらに配電する。
【考案の開示】
【考案が解決しようとする課題】
【０００５】
しかしながら、この従来技術の携帯式電子装置は、電源供給を選択する余地がないという欠点がある。従来の携帯式電子装置は、ＡＣパワーをＡＣ／ＤＣアダプタを介して変換した後電源として供給し、かつパワー形態が限られている。ＡＣパワーを与えない場合のみ、携帯式電子装置が代わりに電池を用いてロードが正常に働くように電源を与える。此の際、電池の電力が低いと、従来の携帯式電子装置は稼動を停止しなければならない。そのため、従来の携帯式電子装置はＡＣパワーがなければ、長時間稼動できないとともに、使用可能な電力源を効率的に利用できないことが問題になる。
【課題を解決するための手段】
【０００６】
本考案は、再生可能エネルギーを有する携帯式電子装置であって、電源としてＤＣパワーおよび再生エネルギーを供給し、ＡＣパワーが作動しないと、再生エネルギーをスペアパワーとすることが出来、携帯式電子装置が正常に稼動できるようにする。
【０００７】
本考案に係る第１の実施の形態の再生可能エネルギーを有する携帯式電子装置は、電源管理ユニットと、ＡＣ／ＤＣアダプタと、電気エネルギーコンバータと、電気エネルギーアクセプタと、複数のロードとを含む。先ず、ＡＣ／ＤＣアダプタがＡＣパワーを第１のＤＣパワーに変換し、電気エネルギーアクセプタが再生エネルギーを第２のＤＣパワーに変換する。電源管理ユニットがさらに第１のＤＣパワーおよび第２のＤＣパワーをロードに選択的に配布し、ロードが正常的に稼動できるようにする。また、電源管理ユニットが使用可能な電力ソースの状態およびロード毎の度合を判断し、第１のＤＣパワーまたは第２のＤＣパワー、または双方の組み合わせをロード毎にさらに選択的に供給する。
【０００８】
本考案に係る第２の実施の形態の再生可能エネルギーを有する携帯式電子装置は、さらに電池を含む点で第１の実施の形態と異なっている。電源管理ユニットが電源供給の状態、ロードの度合および予めなされた設定に基づいて、第１のＤＣパワーをロードの一部または電池に選択的に供給し、または第２のＤＣパワーをロードの他一部または電池に供給でき、さらに第２のＤＣパワーを全てのロードに供給することもできる。また、電池が放電できることで第３のＤＣパワーを発生するため、電源管理ユニットが、ロード毎が必要とするパワー消費量に基づいて第２のＤＣパワーおよび第３のＤＣパワーをロードに配布し、ロードが正常に稼動できるようにする。
【０００９】
本考案に係る第３の実施の形態の再生可能エネルギーを有する携帯式電子装置は、電源管理ユニットが別に接点を提供して使用者の指令を受け、使用者が下した指令に基づいて電源管理ユニットの動作を改めて定義できるようにする点で第２の実施の形態と異なっている。
【考案の効果】
【００１０】
本考案の携帯式電子装置は、電力ソースを選択する余地が大きく、ＡＣパワーが供給されていない時にも再生エネルギーにより稼動することができる。また、各電力ソースが各ロードを選択的に分担でき、電池寿命を延長することができるので、携帯式電子装置は長時間稼動することができる。
【考案を実施するための最良の形態】
【００１１】
（第１の実施の形態）
図２は、本考案に係る携帯式電子装置の第１の実施の形態である。図２に示すように、携帯式電子装置２００は、電源管理ユニット２０１と、電気エネルギーコンバータ２０５と、電気エネルギーアクセプタ２０６と、ロード２０２〜２０４とを含む。
【００１２】
ロード２０２〜２０４の間は互いに隔離されており、電源管理ユニット２０１にそれぞれ効率的に接続されパワーを受ける。電気エネルギーアクセプタ２０６は電気エネルギーコンバータ２０５に接続され、再生エネルギー２３０を受けて、電気エネルギーコンバータ２０５に再生エネルギー２３０を伝送する。電気エネルギーコンバータ２０５は電源管理ユニット２０１に接続され、再生エネルギー２３０を電源管理ユニット２０１に伝送するＤＣパワーに変換する。電源管理ユニット２０１はＡＣ／ＤＣアダプタ２１０に接続され、ＤＣパワーを受けており、並びにＡＣ／ＤＣアダプタ２１０、電気エネルギーコンバータ２０５およびロード２０２〜２０４の間の連結を管理する。
【００１３】
ＡＣ／ＤＣアダプタ２１０がＡＣプラグ２１１を介してＡＣコンセント２２０に接続され、電源管理ユニット２０１がＡＣ／ＤＣアダプタ２１０に接続されると、このＡＣ／ＤＣアダプタがＡＣパワーを受けて、その後、ＡＣパワーを電源管理ユニット２０１に伝送する第１のＤＣパワーに変換する。電源管理ユニット２０１がさらにＡＣ／ＤＣアダプタ２１０をロード２０２〜２０４に接続させ、第１のＤＣパワーをロード２０２〜２０４に配布し、ロード２０２〜２０４が第１のＤＣパワーによって正常に稼動することが出来る。
【００１４】
電気エネルギーアクセプタ２０６が再生エネルギー２３０を受けると、電気エネルギーコンバータ２０５が再生エネルギー２３０を変換して電源管理ユニット２０１に伝送する第２のＤＣパワーを形成する。電源管理ユニット２０１が第２のＤＣパワーを受けてから、電気エネルギーコンバータ２０５をロード２０２〜２０４に接続させ、第２のＤＣパワーをロード２０２〜２０４に配電し、ロード２０２〜２０４が第２のＤＣパワーによって正常に稼動することが出来る。
【００１５】
ＡＣ／ＤＣアダプタ２１０が、ＡＣプラグ２１１を介してＡＣコンセント２２０に接続され、電源管理ユニット２０１がＡＣ／ＤＣアダプタ２１０に接続され、電気エネルギーアクセプタ２０６が再生エネルギー２３０を受けると、ＡＣ／ＤＣアダプタ２１０がＡＣパワーを受けてこのＡＣパワーを第１のＤＣパワーに変換し、電気エネルギーコンバータ２０５が再生エネルギー２３０を第２のＤＣパワーに変換して、第１のＤＣパワーおよび第２のＤＣパワーがさらに電源管理ユニット２０１に伝送される。
【００１６】
一般に言えば、ＡＣパワーが再生エネルギー２３０より安定しているため、電源管理ユニット２０１がＡＣ／ＤＣアダプタ２１０をロード２０２〜２０４に接続し、第１のＤＣパワーのみをロード２０２〜２０４に配電し、第２のＤＣパワーを無視し、ロード２０２〜２０４を第１のＤＣパワーによって正常に稼動出来るようにすることがある。または、電源管理ユニット２０１が電気エネルギーコンバータ２０５をロード２０２〜２０４に接続させ、第２のＤＣパワーのみをロード２０２〜２０４に配布し、第１のＤＣパワーを無視することもある。電気エネルギーコンバータ２０５が第１のＤＣパワーをロード２０２〜２０４の一部に、および、第２のＤＣパワーをロード２０２〜２０４の一部に交代的に伝送できる。
【００１７】
また、電源管理ユニット２０１が、使用可能な電力ソースの状態およびロード毎の度合を判断し、第１のＤＣパワーまたは第２のＤＣパワーをロード毎に選択的に供給する。ここで、ロード毎の度合とは、ロード毎が正常に稼動する際に必要とするパワーの大きさを意味し、且つ、使用者の要求に応じて設計できる。電源供給状態は、携帯式電子装置が電源供給から受けた電圧または電流レベルである。ロードの度合は、ロードが正常に稼動する際に必要とするパワー合計で、またはその設計によって制御できる。
【００１８】
そのため、本考案に係る携帯式電子装置２００は、電力ソースを選択する余地が従来の携帯式電子装置より高い。ＡＣパワーが供給されていない時にも、携帯式電子装置２００は再生エネルギー２３０により継続的に正常稼動できる。ＡＣパワーが供給されていると、再生エネルギー２３０が供給するパワーの消費を減少できる。
【００１９】
（第２の実施の形態）
図３は、本考案に係る携帯式電子装置の第２の実施の形態である。図３に示すように、携帯式電子装置３００は、電源管理ユニット３０１と、電気エネルギーコンバータ３０５と、電気エネルギーアクセプタ３０６と、充電可能な電池３０７と、ロード３０２〜３０４とを含む。
【００２０】
ロード３０２〜３０４は互いに隔離されており、電源管理ユニット３０１に接続されパワーを受ける。電気エネルギーアクセプタ３０６が電気エネルギーコンバータ３０５に接続され、再生エネルギー３３０を受けて、電気エネルギーコンバータ３０５に再生エネルギー３３０を伝送する。電気エネルギーコンバータ３０５が電源管理ユニット３０１に接続され、再生エネルギー３３０をＤＣパワーに変換する。電池３０７が電源管理ユニット３０１に接続され、必要とするスペアＤＣパワーをさらに供給する。電源管理ユニット３０１がＡＣ／ＤＣアダプタ３１０に接続され、ＤＣパワーを受けており、並びにＡＣ／ＤＣアダプタ３１０、電気エネルギーコンバータ３０５、電池３０７、およびロード３０２〜３０４の間の連結を管理する。
【００２１】
図４に示すように、ＡＣ／ＤＣアダプタ３１０がＡＣプラグ３１１を介してＡＣコンセント３２０に接続され、電源管理ユニット３０１がＡＣ／ＤＣアダプタ３１０に接続され、電気エネルギーアクセプタ３０６が再生エネルギー３３０を受けると、ＡＣ／ＤＣアダプタ３１０がＡＣパワーを受けるとともにＡＣパワーを第１のＤＣパワーに変換して電源管理ユニット３０１に伝送し、電気エネルギーコンバータ３０５が再生エネルギー３３０を第２のＤＣパワーに変換して電源管理ユニット３０１に伝送する。そして、電源管理ユニット３０１がさらにＡＣ／ＤＣアダプタ３１０をロード３０２〜３０４に接続させ、第１のＤＣパワーのみを電池３０７およびロード３０２〜３０４に配電し、第２のＤＣパワーを無視する。第１のＤＣパワーが電池３０７を充電する時に、ロード３０２〜３０４が正常に稼動することが出来る。ＡＣ／ＤＣアダプタ３１０が、ＡＣプラグ３１１を介してＡＣコンセント３２０に接続され、電源管理ユニット３０１がＡＣ／ＤＣアダプタ３１０に接続され、再生エネルギー３３０が供給されていない時に、電源管理ユニット３０１がさらにＡＣ／ＤＣアダプタ３１０をロード３０２〜３０４に接続させ、第１のＤＣパワーのみを電池３０７およびロード３０２〜３０４に配電し、第２のＤＣパワーを無視する。
【００２２】
しかしながら、設計上の違いおよびパワーを効率的に利用するため、電源管理ユニット３０１が第１のＤＣパワーをロードの一部（ロード３０２、３０３または３０４）または電池３０７に選択的に供給し、第２のＤＣパワーをロードの他一部または電池３０７に供給し、さらに第２のＤＣパワーを全てのロードまたは電池３０７に供給することもある。
【００２３】
電源管理ユニット３０１が、使用可能な電力ソースの状態およびロード毎の度合を判断し、且つ、電源供給状態、負荷の度合および予めなされた設定に基づいて第１のＤＣパワーまたは第２のＤＣパワーをロード毎に選択的に供給できる。ここで、ロード毎の度合とは、個別の電力ソースが受けた電圧レベルおよびロード毎が必要とするパワーを意味する。
【００２４】
図５に示すように、ＡＣパワーが供給されていない時にも、再生エネルギー３３０が稼動でき、且つ電池３０７の電気エネルギーが低い場合について説明する。電気エネルギーアクセプタ３０６が再生エネルギー３３０を受けると、電気エネルギーコンバータ３０５が再生エネルギー３３０を第２のＤＣパワーに変換して電源管理ユニット３０１に伝送できる。電源管理ユニット３０１がさらに電気エネルギーコンバータ３０５をロード３０２〜３０４に接続させ、第２のＤＣパワーを電池３０７およびロード３０２〜３０４に配電し、ロード３０２〜３０４が正常に稼動出来、第２のＤＣパワーも電池３０７を充電できるようにする。
【００２５】
仮に、第２のＤＣパワーが電池３０７および全てのロードに十分に供給できなければ、電源管理ユニット３０１が電池３０７への充電を停止するとともに、第２のＤＣパワーをロード３０２〜３０４のみに供給する。第２のＤＣパワーがロード３０２〜３０４にまだ十分に供給できなければ、電源管理ユニット３０１が、少なくとも一つのロード（ロード３０２、３０３または３０４）を電気エネルギーコンバータ３０５に選択的に接続させ、ＤＣパワーが供給されていないロードの一部（ロード３０２、３０３または３０４）が動作しない。そのため、携帯式電子装置が節電モードに入り、ロードにかかるパワーロスを低下させる。
【００２６】
図６に示すように、ＡＣパワーが供給されていない時、再生エネルギーが電源を供給し電池を充電できることについて説明する。電気エネルギーアクセプタ３０６が再生エネルギー３３０を受けると、電気エネルギーコンバータ３０５が再生エネルギー３３０を第２のＤＣパワーに変換して電源管理ユニット３０１に伝送できる。それと同時に、電池３０７が放電し第３のＤＣパワーを発生する。電源管理ユニット３０１が第２のＤＣパワーおよび第３のＤＣパワーを受けてから、電気エネルギーコンバータ３０５および電池３０７をロード３０２〜３０４に選択的に接続させ、ロード毎が必要とするパワー消費量に基づいて第２のＤＣパワーおよび第３のＤＣパワーをロード３０２〜３０４に配布し、ロードが正常に稼動出来るようにする。
【００２７】
例えば、第２のＤＣパワーがロード３０２、３０３に十分に供給できると、電源管理ユニット３０１が電気エネルギーコンバータ３０５をロード３０２および３０３に接続し、第２のＤＣパワーをロード３０２、３０３に伝送できる。同時に、電源管理ユニット３０１が電池３０７を３０４に接続すると、さらに第３のＤＣパワーをロード３０４に伝送できる。それに対して、第２のＤＣパワーがロード３０２〜３０４および電池３０７に十分に供給できると、電源管理ユニット３０１がロード３０２〜３０４および電池３０７を電気エネルギーコンバータ３０５に接続でき、その内では、電池３０７が既に充電されている。また、電源管理ユニット３０１が、使用可能な電力ソースの状態およびロード毎の度合を判断し、第２のＤＣパワーまたは第３のＤＣパワーをロード３０２〜３０４または電池３０７に選択的に供給できる。
【００２８】
図７に示すように、第２の実施の形態においてＡＣパワーが供給されていない時にも、再生エネルギーが供給され如何なるロードもない場合について説明する。電気エネルギーアクセプタ３０６が再生エネルギー３３０を受けると、電気エネルギーコンバータ３０５が再生エネルギー３３０を第２のＤＣパワーに変換して電源管理ユニット３０１に伝送できる。携帯式電子装置が稼動を停止し、電気エネルギーコンバータ３０５および関連の装置がまだ稼動している場合、電源管理ユニット３０１が第２のＤＣパワーを受けてから、第２のＤＣパワーにより電池３０７を充電することが出来る。ここで、電気エネルギーアクセプタ３０６が再生エネルギーから生じる最大のパワーを許容できる。
【００２９】
そのため、携帯式電子装置３００は、ＡＣ／ＤＣアダプタ３１０、電気エネルギーコンバータ３０５または電池３０７がロード３０２〜３０４を選択的に分担でき、電池寿命を延長させエネルギー消費を低下させることができる面で利点がある。
【００３０】
（第３の実施の形態）
図８に示すように、本考案に係る第３の実施の形態の携帯式電子装置８００を説明する。携帯式電子装置８００は、電源管理ユニット８０１が、別に接点を提供し使用者の指令を受け、使用者が下した指令に基づいて電源管理ユニット８０１の動作を改めて定義できるようにする点で携帯式電子装置３００と異なっている。
【００３１】
例えば、使用者が電源管理ユニット８０１に指令を出して、ＡＣ／ＤＣアダプタ８１０をロード８０２のみに、電気エネルギーコンバータ８０５をロード８０３のみに、充電可能な電池８０７をロード８０４のみに接続させる。電源管理ユニット８０１が、使用者の定義によって相異なるパワーを異なるロードに選択的に伝送することが出来る。
【００３２】
そのため、携帯式電子装置８００は、ＡＣパワー、電気エネルギーコンバータ８０５または電池８０７がともにロード８０２〜８０４を分担でき、携帯式電子装置８００が長時間効率的に稼動できる面で利点がある。また、携帯式電子装置８００は、使用者の要求に応じて、電力ソースを選出されたロードに選択的に供給できる。
【００３３】
以上のように、本考案に係る携帯式電子装置２００、３００、８００は、ノートブックパソコンやＰＤＡまたは複数の電力ソースを用いる如何なる電子装置に適応できる。再生エネルギーは太陽電池または光である。電気エネルギーコンバータおよび電気エネルギーアクセプタは、太陽電池パネルであってもよく、個別に携帯式電子装置の外部、例えば、携帯式電子装置のケースに設置できる。ロードはキーボード、スクリーンおよびマウスであってもよい。本考案は三つのロードを例とするが、ロードの数はそれに限られない。
【００３４】
前記添付の図面は単に参考および説明のためのみに用いており、本考案を限定するものではない。しかし、前記に開示されたそれぞれの具体的な構成は、単に本考案の実施可能な実施の形態に過ぎず、本考案の特徴を限定するものではなく、いずれの当該分野における通常の知識を有する者が、本考案の分野の中で適当に変更や修飾などを実施できる。しかし、それらの実施の内容が本考案の主張範囲内に納入されるべきことは言うまでもないことである。
【図面の簡単な説明】
【００３５】
【図１】従来技術の携帯式電子装置を示すブロック図である。
【図２】本考案に係る第１の実施の形態の携帯式電子装置を示すブロック図である。
【図３】本考案に係る第２の実施の形態の携帯式電子装置を示すブロック図である。
【図４】本考案に係る第２の実施の形態の携帯式電子装置がともにＡＣパワーおよび再生エネルギーの場合の動作状態を示す図である。
【図５】本考案に係る第２の実施の形態の携帯式電子装置がＡＣパワーを供給しないが再生エネルギーが供給され電池の電量が低い場合の動作状態を示す図である。
【図６】本考案に係る第２の実施の形態の携帯式電子装置がＡＣパワーを供給しないが再生エネルギーが供給され電池が充電される場合の動作状態を示す図である。
【図７】本考案に係る第２の実施の形態の携帯式電子装置がＡＣパワーを供給しないが再生エネルギーが供給されロードがない場合の動作状態を示す図である。
【図８】本考案に係る第３の実施の形態の携帯式電子装置を示すブロック図である。
【符号の説明】
【００３６】
１００，２００，３００，８００  携帯式電子装置
１０１，２０１，３０１，８０１  電源管理ユニット
１０２〜１０４，２０２〜２０４，３０２〜３０４，８０２〜８０４  ロード
２０５，３０５，８０５  電気エネルギーコンバータ
２０６，３０６，８０６  電気エネルギーアクセプタ
３０７，８０７  電池
１１０，２１０，３１０，８１０  ＡＣ／ＤＣアダプタ
１１１，２１１，３１１，８１１  ＡＣプラグ
１２０，２２０，３２０，８２０  ＡＣコンセント
２３０，３３０，８３０  再生エネルギー
【図１】
0003131947.tif 000003
【図２】
0003131947.tif 000004
【図３】
0003131947.tif 000005
【図４】
0003131947.tif 000006
【図５】
0003131947.tif 000007
【図６】
0003131947.tif 000008
【図７】
0003131947.tif 000009
【図８】
0003131947.tif 000010
【手続補正書】
【提出日】平成19年3月14日(2007.3.14)
【手続補正１】
【補正対象書類名】実用新案登録請求の範囲
【補正対象項目名】請求項６
【補正方法】変更
【補正の内容】
【請求項６】
前記電気エネルギーコンバータは、ＤＣパワーを他のＤＣパワーに変換するためのＤＣ／ＤＣコンバータであって、前記の電力ソースの一つの対応する前記電源管理ユニットの第２の入力端に接続されることを特徴とする請求項３に記載の携帯式電子装置。